(57)【要約】【課題】様々な案件について賞金をつけ、知人から知人への紹介を通じて募集し、募集が成立したときに関係者に賞金を分配するサービスを提供する。【解決手段】ユーザの端末からのアクセスに応じて所要のウェブページを提示するためのウェブサーバと、ユーザ登録情報を記録するためのユーザ情報記録部と、募集情報を記録するための募集情報記録部と、賞金情報を記録するための賞金情報記録部と、紹介情報を記録するための紹介情報記録部と、応募情報を記録するための応募情報記録部とを有するデータベースと、ユーザの端末からのユーザ登録情報、募集情報、賞金情報、紹介情報および応募情報を対応する記録部にそれぞれ記録すると共に、必要に応じて各情報を処理するためのデータ処理サーバと、ユーザの端末からの情報に基づいて所要のメールアドレスへ所定のメールを発信するためのメールサーバとを備える。【選択図】図１
2008077226.tif 000002
【特許請求の範囲】
【請求項１】
ネットワークに接続され、ネットワークを介して接続されるユーザの端末に募集情報を紹介するための情報紹介サービス提供サーバであって、
ユーザの端末からのアクセスに応じて所要のウェブページを提示するためのウェブサーバと、
ユーザ登録情報を記録するためのユーザ情報記録部と、募集情報を記録するための募集情報記録部と、賞金情報を記録するための賞金情報記録部と、紹介情報を記録するための紹介情報記録部と、応募情報を記録するための応募情報記録部とを有するデータベースと、
ユーザの端末からのユーザ登録情報、募集情報、賞金情報、紹介情報および応募情報を対応する記録部にそれぞれ記録すると共に、必要に応じて各情報を処理するためのデータ処理サーバと、
ユーザの端末からの情報に基づいて所要のメールアドレスへ所定のメールを発信するためのメールサーバと
を備えた、情報紹介サービス提供サーバ。
【請求項２】
前記データ処理サーバは、募集情報を登録したユーザの端末から応募成立情報が送られてきたとき、受信した応募成立情報に対応する募集情報に応募が成立したことを記録すると共に、受信した応募成立情報に対応する紹介情報を紹介情報記録部から読み取り、成立した募集情報を紹介したユーザの端末へメールサーバを介して応募成立メールを送信する、請求項１に記載の情報紹介サービス提供サーバ。
【請求項３】
前記データ処理サーバは、募集情報を登録したユーザの端末から応募成立情報が送られてきたとき、成立した募集情報に対応する賞金情報を賞金情報記録部から読み取り、前記紹介情報記録部から読み取った紹介ユーザの数に基づいて所定の報酬金分配率に沿って報酬金額を計算して賞金情報記録部に記憶する一方、前記応募成立メールにより報酬金額を当該紹介を行ったユーザに通知すると共に、成立した募集情報を登録したユーザの端末へメールサーバを介して送金依頼メールを送信する、請求項２に記載の情報紹介サービス提供サーバ。
【発明の詳細な説明】
【技術分野】
【０００１】
本発明は、様々な案件について賞金をつけ、知人から知人への紹介を通じて募集し、募集が成立したときに関係者に賞金を分配するサービスを提供するためのサーバに関するものである。
【背景技術】
【０００２】
これまで、ネットワークを通じて案件を募集することについては数多くの提案がなされている。例えば、従業員募集の一般的な形態としては、企業サーバから情報紹介サービス提供サーバに求人の申込みをし、ユーザ端末から情報紹介サービス提供サーバにアクセスして応募する方法は知られている。しかしながら、従来の募集形態では、募集側の情報を提示して応募効率を向上しようとしたり（例えば、特許文献１参照）、応募者の能力をオンライン上で検定して採用者側の資料にしようとする（例えば、特許文献２参照）ものであるが、このシステムでは、誰もがアクセスして応募者になり得る反面、両者の希望が合致する確率が低く、必ずしも効率的に良いものではなかった。
【特許文献１】特開２００２−２１５７６５号公報
【特許文献２】特開２００２−３５８３９３号公報
【発明の開示】
【発明が解決しようとする課題】
【０００３】
本発明は、求人、特定の物品・情報の募集、取引先の募集等の種々の募集を行う上で、人から人への紹介制度を採用することにより、情報をより的確な相手に送って募集効率の向上を企図でき、さらに、募集について賞金をつけることにより、紹介がより積極的に行われるように働きかけることができるサーバを提供しようとするものである。
【課題を解決するための手段】
【０００４】
本発明による情報紹介サービス提供サーバは、ネットワークに接続され、ネットワークを介して接続されるユーザの端末に募集情報を紹介するものである。本情報紹介サービス提供サーバは、ユーザの端末からのアクセスに応じて所要のウェブページを提示するためのウェブサーバと、ユーザ登録情報を記録するための登録情報記録部と、募集情報を記録するための募集情報記録部と、賞金情報を記録するための賞金情報記録部と、紹介情報を記録するための紹介情報記録部と、応募情報を記録するための応募情報記録部と、ユーザの端末からのユーザ登録情報、募集情報、賞金情報、紹介情報および応募情報を対応する記録部にそれぞれ記録すると共に、必要に応じて各情報を処理するためのデータ処理サーバと、ユーザの端末からの情報に基づいて所要のメールアドレスへ所定のメールを発信するためのメールサーバとを備える。
【０００５】
本サービスを利用するためにはユーザは会員登録を必要とする。このため、ユーザは、本情報紹介サービス提供サーバが提供するウェブサイトにアクセスし、アカウント、パスワードおよびメールアドレスを登録する。データ処理サーバはウェブサーバを介して受領したアカウント、パスワードおよびメールアドレスを登録情報記録部に登録情報として記録する。
【０００６】
募集を行う場合、ユーザは、ウェブサイトにアクセスしてログインした後、募集内容や募集人員や募集期限等の募集情報と賞金金額である賞金情報とを本情報紹介サービス提供サーバへ送信する。データ処理サーバはウェブサーバを介して受領した募集情報および賞金情報を同一の参照番号に関連付けて募集情報記録部および賞金情報記録部にそれぞれ登録する。次いで、募集を行うユーザは、この募集情報および賞金情報に応募するのに必要な応募用ＵＲＬアドレスおよびこの募集情報および賞金情報を他の人に紹介するのに必要な紹介用ＵＲＬアドレスを含むメールを送りたい知人のメールアドレスを紹介情報として本情報紹介サービス提供サーバへ送信する。メールサーバは、ウェブサーバを介して受領した紹介情報により指定されたメールアドレスへ応募用および紹介用ＵＲＬアドレスを含む紹介メールを送信する一方、データ処理サーバは、紹介情報により指定されたメールアドレスを指定された募集情報および賞金情報と関連付けて紹介情報記録部に記録する。
【０００７】
紹介メールには、応募用および紹介用ＵＲＬアドレスのほかに、募集情報および賞金情報またはそれらの概要が含まれている。紹介メールを受領したユーザは、メールに記載された内容を見て応募したいと考えたときは、紹介メールに記載された応募用ＵＲＬアドレスを、他の人に紹介したいと考えたときは、紹介メールに記載された紹介用ＵＲＬアドレスをクリックし、ログインした後、当該ウェブページを開く。
【０００８】
応募する場合、応募用ウェブページ上で応募ボタンをクリックすることにより行われる。応募ボタンがクリックされると、データ処理サーバは、募集情報記録部に応募した人の情報を記録すると共に、その募集を行ったユーザへ応募メールを送信する。紹介したい場合、紹介したい人のメールアドレスを紹介用ウェブページで入力して送信すると、データ処理サーバは、紹介された人のメールアドレスへ紹介メールを送信すると共に、紹介した人の情報および紹介された人の情報を紹介した募集情報に関連付けて紹介情報記憶部に記憶する。紹介者を介して紹介された人がさらに他の人を紹介する場合、前述と同様なデータ処理が行われるが、ＡからＢ、ＢからＣを個別に記録するのではなく、新たに加えられた紹介者の情報を付加した形で記録する。一方、紹介者を介して紹介された人が応募した場合、前述と同様なデータ処理が行われる。
【０００９】
本発明による情報紹介サービス提供サーバはまた、データ処理サーバが、募集情報を登録したユーザの端末から応募成立情報が送られてきたとき、受信した応募成立情報に対応する募集情報に応募が成立したことを記録すると共に、受信した応募成立情報に対応する紹介情報を紹介情報記録部から読み取り、成立した募集情報を紹介したユーザの端末へメールサーバを介して応募成立メールを送信するように構成することもできる。また、データ処理サーバは、募集情報を登録したユーザの端末から応募成立情報が送られてきたとき、成立した募集情報に対応する賞金情報を賞金情報記録部から読み取り、前記紹介情報記録部から読み取った紹介ユーザの数に基づいて所定の報酬金分配率に沿って報酬金額を計算して賞金情報記録部に記憶する一方、前記応募成立メールにより報酬金額を当該紹介を行ったユーザに通知すると共に、成立した募集情報を登録したユーザの端末へメールサーバを介して送金依頼メールを送信するように構成してもよい。
【発明の効果】
【００１０】
本発明によれば、人の紹介によって応募者の輪が広がるため、より多くの募集に適合した人の応募や物品・情報の入手を期待することができると共に、応募者の信頼性を高めることができ、また、紹介者に対して報酬を支払うため、より一層実現性の高い募集に適した人の応募や物品・情報の入手を期待でき、それにより効率よく募集を行うことができる。
【発明を実施するための最良の形態】
【００１１】
本発明の実施例による情報紹介サービス提供サーバ１０は、図１に示すように、ネットワーク２０に接続され、ネットワーク２０を介してユーザの端末３０に接続される。
【００１２】
情報紹介サービス提供サーバ１０は、ユーザの端末３０からのアクセスに応じて所要のウェブページを提示するためのウェブサーバ１１と、種々の情報を記録するためのデータベース１２と、種々の情報をデータベース１２に記録すると共に、必要に応じて各情報を処理するためのデータ処理サーバ１３と、所要のメールアドレスへ所定のメールを発信するためのメールサーバ１４とを備えている。
【００１３】
データベース１２は、ユーザ登録情報を記録するためのユーザ情報記録部１２１と、募集情報を記録するための募集情報記録部１２２と、賞金情報を記録するための賞金情報記録部１２３と、紹介情報を記録するための紹介情報記録部１２４と、応募情報を記録するための応募情報記録部１２５とを有する。
【００１４】
次に、上述の如く構成される本発明の情報紹介サービス提供サーバ１０のサービス提供の流れについて図２Ａ〜２Ｃを参照して説明する。
【００１５】
Ａ．会員登録
本情報紹介サービスは、金銭的な処理が行われること、信頼性の高い情報が求められること等の観点から、会員登録制の下でサービスを提供するのが好ましく、このため、本情報紹介サービスを利用としようするユーザは、まず、会員登録を行う必要がある。しかしながら、この会員登録自体における情報伝達については本発明の骨子ではないのでその詳細については割愛するが、ユーザは、端末３０から情報紹介サービス提供サーバ１０が運営するサイトにアクセスして登録ページを開き、自分のユーザ登録情報について設定する（ステップ１）。ユーザ登録情報は、少なくともアカウント、パスワードおよびメールアドレスを含み、好ましくは、応募者が応募するか否かを判断したり、募集者が採用するか否かを判断したりする資料として利用可能なユーザのプロフィールを含むのが望ましい。データ処理サーバ１３はウェブサーバ１１を介して端末３０から受領したユーザ登録情報をユーザ情報記録部１２１に記録する（ステップ２）。
【００１６】
Ｂ．ログイン
ユーザは、まず、情報紹介サービス提供サーバ１０の運営するサイトにログインする（ステップ３）。ログインが行われると、データ処理サーバ１３は、そのユーザのデータベース１２中のデータを読み取り、そのユーザのユーザーページＰ１（図３参照）を端末３０に提示する（ステップ４）。ユーザーページＰ１は、これに限定するものではないが、そのユーザが登録した募集情報を表示するための募集欄Ｃ１０、そのユーザ宛に送られてきた紹介情報を表示するための紹介欄Ｃ１１等のほかに、新規に募集を行うために新規募集登録ページＰ２（図４参照）を開くための新規登録リンクボタンＢ１０が用意されている。ここにおいて、募集欄Ｃ１０および紹介欄Ｃ１１は、個々の情報に対応して用意されたリンクボタンＢ１１およびＢ１２の形態で用意するのが好ましい。また、新規登録リンクボタンＢ１０を独立して設けるのではなく、募集欄Ｃ１０内の一つのリンクボタンとして用意してもよい。なお、このログインについては、ユーザが募集、応募、紹介等の作業を行う際に必須であるが、本発明の理解を明瞭にするために、ログインに関する記述は後述の説明において省略されていることに留意されたい。
【００１７】
Ｃ．募集情報の登録
新規に募集を行う場合、ユーザは、ユーザーページＰ１の新規登録リンクボタンＢ１０をクリックして新規募集登録ページＰ２を開く（ステップ５）。新規募集登録ページＰ２には、募集内容を端的に表す字句等を記入するためのタイトル欄Ｃ２０、募集の内容を記入するための募集詳細欄Ｃ２１、賞金金額を記入するための金額欄Ｃ２２等が用意されている。募集ユーザがこれらの欄に記入して登録すると（ステップ６）、データ処理サーバ１３は送られてきた募集情報を募集情報記録部１２２に記録する（ステップ７）。募集情報記録部１２２に記録される募集情報は、各募集情報毎に異なった参照符号を付して各ユーザ毎に記録される。
【００１８】
Ｄ．募集情報の紹介
ユーザが新規募集の登録を行うと、ウェブサーバ１１はユーザの端末３０に紹介ページＰ３（図５参照）を提示する（ステップ８）。紹介ページＰ３には、紹介しようとする人のメールアドレスを記入するためのアドレス記入欄Ｃ３０が用意されている。登録された募集情報を紹介しようとする人のメールアドレスをアドレス記入欄Ｃ３０に記入して送信ボタンＢ３０をクリックすると、データ処理サーバ１３は、登録された募集情報を募集情報記録部１２２から抽出して紹介メールＭ１を作成し（ステップ９）、メールサーバ１４からアドレス記入欄Ｃ３０に記入されたアドレスへ紹介メールＭ１を送信させると共に（ステップ１０）、データ処理サーバ１３はまた、登録された募集情報がメールアドレスのユーザに対して紹介されたことを紹介情報記録部１２４に記録する（ステップ１１）。紹介されたユーザが受領する紹介メールＭ１は、図６に示すように、紹介された募集情報のほかに、その募集情報に関連付けられた紹介ページＰ３に接続するための紹介用ＵＲＬアドレスからなるリンクＬ１と、その募集情報に関連付けられた応募ページＰ４（図７参照）に接続するための応募用ＵＲＬアドレスからなるリンクＬ２とが記載されている。
【００１９】
Ｅ．応募
紹介されたユーザが紹介された募集情報に応募する場合、紹介メールＭ１のリンクＬ２をクリックし、その募集情報に関連付けられた応募ページＰ４を開く（ステップ１２）。図７に示すように、応募ページＰ４には応募ボタンＢ４０が用意されており、応募ボタンＢ４０をクリックすることにより応募が完了する（ステップ１３）。応募ボタンＢ４０がクリックされると、データ処理サーバ１３は、その応募ページＰ４に対応する募集情報記録部１２２中の募集情報に応募者が有ったことを応募情報記録部１２５に記録すると共に（ステップ１４）、それに対応する募集情報から募集を行ったユーザのメールアドレスを読み取り（ステップ１５）、応募者があったことを通知するためのメールを作成し（ステップ１６）、メールサーバ１４から募集者のユーザへ送信する（ステップ１７）。
【００２０】
Ｆ．紹介されたユーザによる紹介
紹介メールを受領したユーザがその募集情報を他のユーザに紹介したい場合、リンクＬ１をクリックしてその募集情報に関連付けられた紹介ページＰ３を開き、紹介メールを送信する。このときにおける紹介手順およびデータ処理サーバ１３による情報処理は、前述の「Ｄ．募集情報の紹介」の項で述べたと同様に行われるので、重複を避けるため、その説明については割愛する。しかしながら、上述の紹介情報記録部１２４への紹介情報の記録（ステップ１４）については、最初の紹介者の情報に関連付けて記録する必要があることは容易に理解されよう。
【００２１】
Ｇ．応募成立
募集に応募する場合、応募者通知メールを受領したユーザは、自分のユーザーページＰ１を開き（ステップ１８）、募集欄Ｃ１０内の通知のあった募集情報のリンクボタンＢ１１をクリックして募集情報詳細ページＰ５（図８参照）を開いた後（ステップ１９）、応募者一覧リンクボタンＢ５０をクリックして応募者一覧ページＰ６（図９参照）を開く（ステップ２０）。データ処理サーバ１３は、クリックされた募集情報に対応する応募情報を応募情報記録部１２５から読み取ってユーザの端末３０に応募者一覧ページＰ６を提示する。募集を行ったユーザは、応募者一覧ページＰ６の中から応募者のプロフィールなどを参考にして応募者を決めると、その応募者に対応する募集成立ボタンＢ６０をクリックして応募を確定させる（ステップ２１）。募集成立ボタンＢ６０がクリックされると、データ処理サーバ１３は、募集情報記録部１２２中の対応する募集情報に応募が成立したことを記録する（ステップ２２）。このとき、データ処理サーバ１３は、応募者に対して応募が成立したことをメールで通知すると共に（ステップ２３）、成立した募集情報の応募者に対応する紹介情報を紹介情報記録部１２４から抽出して紹介者に関する情報を読み取り（ステップ２４）、対応する募集情報の賞金金額を賞金情報記録部１２３から読み取り（ステップ２５）、所定の報酬金分配率に従って報酬金額を算出した後（ステップ２６）、紹介したユーザへ応募成立と報酬金額を通知するための報酬通知メールを作成し（ステップ２７）当該紹介したユーザへ送信する（ステップ２８）。その一方で、成立した募集を登録したユーザに対し、紹介者に対して報酬の支払いを依頼するための支払い依頼ページＰ７（図１０参照）を表示すると共に（ステップ２９）、メールサーバ１４を介して同様な内容の報酬支払い依頼メールを送信する（ステップ３０）。
【００２２】
この後、成立した募集を登録したユーザは、成立した応募を紹介したユーザに報酬を支払うことになる。この支払いの方法としては、本発明の骨子を構成するものではないが、口座振込み、電子マネー決済、コンビニ決済、現金の送付等を利用することができる。
【００２３】
上述の説明において、応募並びに最初の募集ユーザからの紹介を除く紹介は、受信した電子メールから対応するウェブページにアクセスするよう説明したが、必要に応じて、ウェブページから、直接、紹介や応募等の作業を行うこともできる。この場合、ユーザは、端末３０から情報紹介サービス提供サーバ１０の運営するサイトにアクセスして自分のユーザーページＰ１を開く。データ処理サーバ１３は、募集情報や紹介情報を各ユーザ毎に集めてリストアップし、そのユーザのユーザーページＰ１を作成し、ウェブサーバ１１を介してユーザの端末３０に表示させる。リストアップされた募集情報や紹介情報の中から所要の情報をユーザが選択することにより、その情報に対応した紹介ページＰ３または応募ページＰ４を端末３０に表示させ、上述と同様にして紹介または応募することになる。なお、上述の説明において、データ処理に関するほとんどをデータ処理サーバ１３を行うよう説明したが、例えば、データベースのデータ読取り、書込み、書換え等をデータベースサーバにより行ったり、会員登録やログイン等を認証サーバが行ったりするように構成することは、当業者であれば容易に達成し得るものである。
【００２４】
また、前述した登録ステップ、紹介ステップ、応募ステップの核ステップにおける募集情報と登録者および紹介者に関する情報との間の紐付けは、募集情報の登録、紹介、応募がログインした会員であることが必須であるため、基本的に、ユーザのアカウントにより行われる。
【００２５】
募集情報の登録時、ユーザはログイン済みであるで、パソコンに蓄積されたcookieを読み取ることにより、募集情報を登録したユーザを認識し、募集情報にそのユーザのアカウントを紐付けする。紹介メールの送信時、発信元のユーザのアカウントを、同様に、cookieを読み取って紹介情報記憶部１２４に記録する一方、送信先については、一旦、メールアドレスを記憶した後、メールアドレスに対応するユーザのアカウントをユーザ情報記憶部１２１で検索し、アカウントがある場合は、そのアカウントに置き換えられ、アカウントがない場合は、メールアドレスのままで記録される。このため、非会員ユーザの場合、募集情報記録部１２２中の紹介先のメールアドレスをアカウントに書き換えることができるように、少なくとも会員登録時には、紹介メールを受け取ったメールアドレスを登録させる必要がある。紹介メールの応募用リンクＬ１および紹介用リンクＬ２には、紹介された募集情報の読み出し番号と、紹介したユーザのアカウントが含まれているため、リンクをクリックしたとき、募集情報の読み出し番号と、紹介したユーザのアカウントを読み取ることができる。このため、紹介されたユーザが応募したとき、応募したユーザと紹介したユーザのアカウントを入手し、応募のあった募集情報に対応する紹介情報記憶部１２４中の対応する紹介者の紹介情報に、応募があったことを記録する。また、紹介されたユーザがその募集情報を他の人への紹介した場合、登録したユーザの紹介メールの場合と同様、紹介した先のユーザのアカウント（またはメールアドレス）が紹介情報記憶部１２４に記録されるが、応募の場合と同様に、紹介した募集情報に対応する紹介情報記憶部１２４中の対応する紹介者の紹介情報に付加する形で記録される。
【図面の簡単な説明】
【００２６】
【図１】本発明の実施例による情報紹介サービス提供サーバの構成を示す概要図である。
【図２Ａ】本発明の実施例による情報紹介サービス提供サーバにおけるサービス提供の流れを示す図である。
【図２Ｂ】本発明の実施例による情報紹介サービス提供サーバにおけるサービス提供の流れを示す図である。
【図２Ｃ】本発明の実施例による情報紹介サービス提供サーバにおけるサービス提供の流れを示す図である。
【図３】ユーザーページの表示例を示す図である。
【図４】新規募集登録ページの表示例を示す図である。
【図５】紹介ページの表示例を示す図である。
【図６】紹介メールの表示例を示す図である。
【図７】応募ページの表示例を示す図である。
【図８】募集情報詳細ページの表示例を示す図である。
【図９】応募者一覧ページの表示例を示す図である。
【図１０】支払い依頼ページの表示例を示す図である。
【符号の説明】
【００２７】
１０    情報紹介サービス提供サーバ
２０    ネットワーク
３０    （ユーザの）端末
１１    ウェブサーバ
１２    データベース
１３    データ処理サーバ
１４    メールサーバ１４
１２１    ユーザ情報記録部
１２２    募集情報記録部
１２３    賞金情報記録部
１２４    紹介情報記録部
１２５    応募情報記録部
Ｐ１    ユーザーページ
Ｐ２    新規募集登録ページ
Ｐ３    紹介ページ
Ｐ４    応募ページ
Ｐ５    募集情報詳細ページ
Ｐ６    応募者一覧ページ
Ｐ７    支払い依頼ページ
【図１】
2008077226.tif 000003
【図２Ａ】
2008077226.tif 000004
【図２Ｂ】
2008077226.tif 000005
【図２Ｃ】
2008077226.tif 000006
【図３】
2008077226.tif 000007
【図４】
2008077226.tif 000008
【図５】
2008077226.tif 000009
【図６】
2008077226.tif 000010
【図７】
2008077226.tif 000011
【図８】
2008077226.tif 000012
【図９】
2008077226.tif 000013
【図１０】
2008077226.tif 000014